【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
第１のネットワークノード（１１０）におけるデータパケット（２００）の構造であって、
前記第１のネットワークノード（１１０）は無線リンク（１３０）により前記データパケット（２００）を第２のネットワークノード（１２０）に送信するように適合され、
前記第１のネットワークノード（１１０）と前記第２のネットワークノード（１２０）は無線通信ネットワーク（１００）に含まれており、
前記データパケット（２００）はデータパケットヘッダ（２１０）とデータパケットペイロード（２２０）とを有し、
前記データパケットヘッダ（２１０）は少なくとも１つの長さインジケータ（２１１，２１２，２１３，２１４，２１５）を有し、前記データパケットペイロード（２２０）は同じ固有サイズの連続したパケットデータユニット（２２１，２２２，２２３）を有し、
前記同じサイズの連続したパケットデータユニット（２２１，２２２，２２３）の数は前記データパケットヘッダ（２１０）における前記少なくとも１つの長さインジケータ（２１１，２１２，２１３，２１４，２１５）のうちの第１の長さインジケータの第１のセットの固有予約値（ＲＶ）を用いて示されることを特徴とするデータパケット（２００）の構造。
【請求項２】
無線リンク（１３０）によりデータパケット（２００）を第２のネットワークノード（１２０）に送信する第１のネットワークノード（１１０）における方法であって、
前記第１のネットワークノード（１１０）と前記第２のネットワークノード（１２０）とは無線通信ネットワーク（１００）に含まれ、
前記データパケットはデータパケットヘッダ（２１０）とデータパケットペイロード（２２０）とを有し、
前記データパケットヘッダ（２１０）は少なくとも１つの長さインジケータ（２１１，２１２，２１３，２１４，２１５）を有し、前記データパケットペイロード（２２０）は同じ固有サイズの連続したパケットデータユニット（２２１，２２２，２２３）を有し、
前記方法は、
前記データパケットヘッダ（２１０）の前記少なくとも１つの長さインジケータ（２１１，２１２，２１３，２１４，２１５）のうちの第１の長さインジケータの第１のセットの固有予約値（ＲＶ）を用いて前記連続したパケットデータユニットの数を示す工程（４０３）と、
前記データパケット（２００）を前記第２のネットワークノード（１２０）に送信する工程（４０５）とを有することを特徴とする方法。
【請求項３】
前記データパケットヘッダ（２１０）の前記少なくとも１つの長さインジケータ（２１１，２１２，２１３，２１４，２１５）のうちの第２の長さインジケータを用いて前記連続したパケットデータユニット（２２１，２２２，２２３）の固有サイズを示す工程（４０４）をさらに有することを特徴とする請求項２に記載の方法。
【請求項４】
前記データパケットペイロード（２２０）の前記同じサイズの連続したパケットデータユニット（２２１，２２２，２２３）の数を示す工程（４０４）は、前記長さインジケータの第２のセットの固有予約値（ＲＶｍ）を用いて実行され、
該パケットデータユニットの固有サイズは上限サイズ（Ｎ）に等しいことを特徴とする請求項２又は３に記載の方法。
【請求項５】
無線リンク（１３０）により第１のネットワークノード（１１０）からデータパケット（２００）を受信する第２のネットワークノード（１２０）における方法であって、
前記第１のネットワークノード（１１０）と前記第２のネットワークノード（１２０）とは無線通信ネットワーク（１００）に含まれ、
前記データパケット（２００）はデータパケットヘッダ（２１０）とデータパケットペイロード（２２０）とを有し、前記データパケットヘッダ（２１０）は少なくとも１つの長さインジケータ（２１１，２１２，２１３，２１４，２１５）を有し、前記データパケットペイロード（２２０）は同じ固有サイズの連続したパケットデータユニット（２２１，２２２，２２３）を有し、
前記方法は、
前記第１のネットワークノード（１１０）から前記データパケット（２００）を受信する工程（５０１）と、
前記連続したパケットデータユニット（２２１，２２２，２２３）の数を示す、前記データパケットヘッダ（２１０）の前記少なくとも１つの長さインジケータ（２１１，２１２，２１３，２１４，２１５））のうちの第１の長さインジケータの第１のセットの固有予約値（ＲＶ）のうちの固有予約値を検出する工程（５０２）と、
前記データパケットヘッダ（２１０）の前記少なくとも１つの長さインジケータ（２１１，２１２，２１３，２１４，２１５）のうちの前記第１の長さインジケータの前記第１のセットの固有予約値（ＲＶ）のうちの前記固有予約値を用いて、前記パケットデータユニット（２２１，２２２，２２３）を再組立する工程（５０４）とを有することを特徴とする方法。
【請求項６】
前記連続したパケットデータユニット（２２１，２２２，２２３）の固有サイズを示す、前記データパケットヘッダ（２１０）の前記少なくとも１つの長さインジケータ（２１１，２１２，２１３，２１４，２１５）のうちの第２の長さインジケータを検出する工程（５０３）をさらに有し、
前記パケットデータユニット（２２１，２２２，２２３）を再組立する工程（５０４）はさらに、前記データパケットヘッダ（２１０）の前記少なくとも１つの長さインジケータ（２１１，２１２，２１３，２１４，２１５）のうちの前記第２の長さインジケータを用いる工程を含むことを特徴とする請求項５に記載の方法。
【請求項７】
上限サイズ（Ｎ）に等しい固有サイズの前記連続するパケットデータユニット（２２１，２２２，２２３）の数を示す前記少なくとも１つの長さインジケータ（２１１，２１２，２１３，２１４，２１５）のうちの第１の長さインジケータを用いて、前記パケットデータユニット（２２１，２２２，２２３）を再組立する工程（５０４）は、前記長さインジケータの第２のセットの固有予約値（ＲＶｍ）により実行されて、前記連続したパケットデータユニット（２２１，２２２，２２３）の数を示すことを特徴とする請求項５又は６に記載の方法。
【請求項８】
無線リンク（１３０）によりデータパケット（２００）を第２のネットワークノード（１２０）に送信するように適合された第１のネットワークノード（１１０）であって、
前記第１のネットワークノード（１１０）と前記第２のネットワークノード（１２０）とは無線通信ネットワーク（１００）に含まれ、
前記データパケット（２００）はデータパケットヘッダ（２１０）とデータパケットペイロード（２２０）とを有し、
前記データパケットヘッダ（２１０）は少なくとも１つの長さインジケータ（２１１，２１２，２１３，２１４，２１５）を有し、
前記データパケットペイロード（２２０）は同じ固有サイズの連続したパケットデータユニット（２２１，２２２，２２３）を有し、
前記第１のネットワークノード（１１０）の構成（６００）は、
前記データパケットヘッダ（２１０）の前記少なくとも１つの長さインジケータ（２２１，２１２，２１３，２１４，２１５）のうちの第１の長さインジケータの第１のセットの固有予約値（ＲＶ）のうちの固有予約値を用いて、前記同じサイズの連続したパケットデータユニット（２２１，２２２，２２３）の数を示すように適合された表示ユニット（６１０）と、
前記データパケット（２００）を前記第２のネットワークノード（１２０）に送信するように適合された送信ユニット（６２０）とを有することを特徴とする第１のネットワークノード。
【請求項９】
無線リンク（１３０）により第１のネットワークノード（１１０）からデータパケット（２００）を受信するように適合された第２のネットワークノード（１２０）であって、
前記第１のネットワークノード（１１０）と前記第２のネットワークノード（１２０）とは無線通信ネットワーク（１００）に含まれ、
前記データパケット（２００）はデータパケットヘッダ（２１０）とデータパケットペイロード（２２０）とを有し、
前記データパケットヘッダ（２１０）は少なくとも１つの長さインジケータ（２１１，２１２，２１３，２１４，２１５）を有し、
前記データパケットペイロード（２２０）は同じ固有サイズの連続したパケットデータユニット（２２１，２２２，２２３）を有し、
前記第２のネットワークノード（１２０）の構成（７００）は、
前記第１のネットワークノード（１１０）から前記データパケット（２００）を受信するように適合された受信ユニット（７１０）と、
前記データパケットヘッダ（２１０）の前記少なくとも１つの長さインジケータ（２１１，２１２，２１３，２１４，２１５）のうちの第１の長さインジケータの第１のセットの固有予約値（ＲＶ）のうちの固有予約値を検出するように適合された検出ユニット（７２０）と、
前記データパケットヘッダ（２１０）の前記少なくとも１つの長さインジケータ（２１１，２１２，２１３，２１４，２１５）のうちの前記第１の長さインジケータの前記第１のセットの固有予約値（ＲＶ）のうちの前記固有予約値を用いて、前記パケットデータユニット（２２１，２２２，２２３）を再組立するように適合された再組立ユニット（７３０）とを有し、
前記少なくとも１つの長さインジケータ（２１１，２１２，２１３，２１４，２１５）のうちの前記第１の長さインジケータは、前記連続したパケットデータユニット（２２１，２２２，２２３）の数を示すことを特徴とする第２のネットワークノード。